(57)【要約】【課題】就寝者の睡眠状態に基づいて就寝者に起床を報知する目覚まし装置において、不適切なタイミングで就寝者に起床を報知する可能性を低減する。【解決手段】目覚まし装置の検出部（25）は、就寝者の体動を検出して体動信号を出力する。目覚まし装置の信号処理部（50）は、判断用指標と補助指標とを体動信号から抽出する。目覚まし装置の報知部（55）は、判断用指標に基づいて就寝者がレム睡眠中か否かを判断し、補助指標に基づいて就寝者の睡眠深度が深いか否かを判断する。就寝者がレム睡眠中であると判断した場合、報知部（55）は、原則として、圧電ブザー（36）に対して作動指令信号を出力するが、その場合であっても、就寝者の睡眠深度が深いと判断すると作動指令信号の出力を禁止する。【選択図】図５
2014023572.tif 000002
【特許請求の範囲】
【請求項１】
就寝者の体動を検出して体動信号を出力する検出部（25）と、
上記就寝者の睡眠状態がレム睡眠か否かを判断するための判断用指標と上記就寝者の呼吸の時間間隔の変動係数である補助指標とを、上記検出部（25）が出力した上記体動信号から抽出する抽出部（50）と、
上記判断用指標に基づいて上記就寝者の睡眠状態がレム睡眠だと判断したことを実行条件とし、上記補助指標が所定の下限値以下であることを禁止条件とし、上記就寝者の起床予定時刻までの所定時間である判断時間中に上記実行条件が成立し且つ上記禁止条件が成立しないときに、上記就寝者に起床を報知する報知部（55）とを備えている
ことを特徴とする目覚まし装置。
【請求項２】
請求項１において、
上記判断用指標は、上記就寝者の心拍数のウルトラディアンリズムに対応した周期成分であり、
上記報知部（55）は、上記判断用指標の２次微分係数が負である場合に、上記就寝者の睡眠状態がレム睡眠だと判断する
ことを特徴とする目覚まし装置。
【請求項３】
請求項１又は２おいて、
上記報知部（55）は、上記判断時間中に上記就寝者に起床を報知しなかった場合は、上記起床予定時刻に上記就寝者に起床を報知する
ことを特徴とする目覚まし装置。
【発明の詳細な説明】
【技術分野】
【０００１】
本発明は、就寝者の睡眠状態に基づいて就寝者に起床を報知する目覚まし装置に関するものである。
【背景技術】
【０００２】
従来から、人間の睡眠時には、眠りの浅いレム睡眠と眠りの深いノンレム睡眠とが交互に繰り返されることが知られている。また、眠りの浅い状態で就寝者を覚醒させると、快適な目覚めが得られると言われている。そこで、特許文献１には、就寝者の心拍数を計測して就寝者の睡眠状態を推定し、睡眠状態がレム睡眠のときに就寝者に起床を報知することが記載されている。
【先行技術文献】
【特許文献】
【０００３】
【特許文献１】特開２００７−１０５１１１号公報
【発明の概要】
【発明が解決しようとする課題】
【０００４】
就寝者の睡眠状態がレム睡眠であることを正確に判定するには、就寝者の脳波を計測したり、就寝者の眼球の動きを検知する必要がある。このため、心拍数等の指標値に基づいて就寝者の睡眠状態を推定する場合は、就寝者の睡眠状態が実際にはノンレム睡眠であるのにレム睡眠だと誤判定する可能性が全く無いとは言い切れない。そして、就寝者の睡眠状態がノンレム睡眠であるときに、就寝者の睡眠状態がレム睡眠だと誤判定して就寝者に起床を報知すると、不適切なタイミングで就寝者を覚醒させてしまい、就寝者に不快感を与えるおそれがある。
【０００５】
本発明は、かかる点に鑑みてなされたものであり、その目的は、就寝者の睡眠状態に基づいて就寝者に起床を報知する目覚まし装置において、快適な目覚めが得られない不適切なタイミングで就寝者に起床を報知する可能性を低減することにある。
【課題を解決するための手段】
【０００６】
第１の発明は、目覚まし装置を対象とし、上記就寝者の睡眠状態がレム睡眠か否かを判断するための判断用指標と上記就寝者の呼吸の時間間隔の変動係数である補助指標とを、上記検出部（25）が出力した上記体動信号から抽出する抽出部（50）と、上記判断用指標に基づいて上記就寝者の睡眠状態がレム睡眠だと判断したことを実行条件とし、上記補助指標が所定の下限値以下であることを禁止条件とし、上記就寝者の起床予定時刻までの所定時間である判断時間中に上記実行条件が成立し且つ上記禁止条件が成立しないときに、上記就寝者に起床を報知する報知部（55）とを備えるものである。
【０００７】
第１の発明において、抽出部（50）は、検出部（25）が出力した体動信号に基づいて、判断用指標と補助指標とを算出する。報知部（55）では、“判断用指標に基づいて就寝者の睡眠状態がレム睡眠だと判断した”という条件が実行条件となり、“就寝者の呼吸の時間間隔である補助指標が所定の下限値以下である”という条件が禁止条件となっている。
【０００８】
第１の発明の報知部（55）は、原則として、判断時間中に実行条件が成立すると就寝者に起床を報知する。実行条件が成立している場合は、就寝者の睡眠状態がレム睡眠となっており、就寝者を起床させるのに適切なタイミングだと判断できる。そこで、報知部（55）は、原則として、判断時間中に実行条件が成立すると、就寝者に起床を報知する。
【０００９】
ただし、第１の発明の報知部（55）は、判断時間中に実行条件が成立しても、その時に禁止条件が成立している場合は、就寝者に対する起床の報知を行わない。その理由を説明する。一般に、就寝者の睡眠深度が深くなるほど、就寝者の呼吸の時間間隔の変動は小さくなることが知られている。一方、就寝者の呼吸の時間間隔の変動が小さいほど、補助指標の値は小さくなる。つまり、補助指標の値が所定の下限値以下である場合は、就寝者の睡眠深度が比較的深い可能性が高い。そして、判断用指標に基づいて就寝者の睡眠状態がレム睡眠だと判断できるにも拘わらず、補助指標の値が所定の下限値以下である場合は、就寝者の睡眠状態がレム睡眠だという判断が間違っている可能性がある。そこで、報知部（55）は、補助指標が所定の下限値以下である場合は、就寝者に起床を報知しないこととし、不適切なタイミングで就寝者に起床を報知する可能性を低減する。
【００１０】
なお、判断時間は、就寝者の起床予定時刻までの所定時間である。例えば、就寝者の起床予定時刻が午前７時であり、午前７時までの３０分間が判断時間である場合、判断時間は、午前６時３０分から午前７時までの間である。また、就寝者の呼吸の時間間隔の変動係数は、所定時間内における就寝者の呼吸の時間間隔の標準偏差を、所定時間内における就寝者の呼吸の時間間隔の相加平均で除して得られる値である。
【００１１】
第２の発明は、上記第１の発明において、上記判断用指標は、上記就寝者の心拍数のウルトラディアンリズムに対応した周期成分であり、上記報知部（55）は、上記判断用指標の２次微分係数が負である場合に、上記就寝者の睡眠状態がレム睡眠だと判断するものである。
【００１２】
ここで、生物の生理現象には周期的に変動するものがある。このような生理現象の変動の周期のうち、概ね一日周期のものをサーカディアンリズムといい、それよりも短いもの（例えば数十分周期から数時間周期のもの）をウルトラディアンリズムという。人間の睡眠深度の大局的な変動の周期は、概ね９０分〜１２０分であることが知られている。従って、人間の睡眠深度の大局的な変動は、ウルトラディアンリズムに該当する。また、就寝中の人間の心拍数は、就寝者の睡眠深度に応じて変動することが知られている。具体的には、睡眠深度が深いときには心拍数が比較的低くなり、睡眠深度が浅いときには心拍数が比較的高くなることが知られている。従って、就寝中の人間の心拍数の大局的な変動も、ウルトラディアンリズムに該当する。
【００１３】
上述したように、就寝中の人間の睡眠深度は、概ね９０分〜１２０分周期で深くなったり浅くなったりを繰り返す。また、就寝中の人間の心拍数は、睡眠深度の変化に連動して、概ね９０分〜１２０分周期で増減を繰り返す。一方、上述したように、就寝中の人間の心拍数は、睡眠深度が深いときに比較的低くなり、睡眠深度が浅いときに比較的高くなる。このため、就寝者の心拍数のウルトラディアンリズムに対応した周期成分の２次微分係数が負であるとき（即ち、この周期成分を示すグラフが上に凸の形状となるとき）には、就寝者の睡眠状態が睡眠深度の比較的浅いレム睡眠であると判断できる。
【００１４】
そこで、第２の発明の抽出部（50）は、就寝者の心拍数のウルトラディアンリズムに対応した周期成分を、判断用指標として体動信号から抽出する。また、この発明の報知部（55）は、判定用指標（即ち、就寝者の心拍数のウルトラディアンリズムに対応した周期成分）の２次微分係数が負であるときに、就寝者の睡眠状態をレム睡眠だと判断する。
【００１５】
第３の発明は、上記第１又は第２の発明おいて、上記報知部（55）は、上記判断時間中に上記就寝者に起床を報知しなかった場合は、上記起床予定時刻に上記就寝者に起床を報知するものである。
【００１６】
ここで、場合によっては、判断期間中に実行条件が一度も成立しなかったり、判断時間中に実行条件と禁止条件の両方が成立することもあり得る。しかし、だからといって就寝者に起床を報知しなければ、起床予定時刻を過ぎても就寝者た眠ったままとなるおそれがある。そこで、判断時間中に就寝者に起床を報知しなかった場合、第３の発明の報知部（55）は、起床予定時刻に就寝者に起床を報知する。
【発明の効果】
【００１７】
本発明において、報知部（55）は、原則として、判断時間中に判断用指標に基づいて就寝者の睡眠状態がレム睡眠だと判断すると就寝者に起床を報知する。しかし、判断用指標に基づいて就寝者の睡眠状態がレム睡眠だと判断できても、補助指標（即ち、就寝者の呼吸の時間間隔の変動係数）が所定の下限値以下である場合は、就寝者の睡眠状態がレム睡眠だという判断が間違っている可能性がある。そこで、報知部（55）は、補助指標が所定の下限値以下である間は、判断用指標に基づいて就寝者の睡眠状態がレム睡眠だと判断できた場合であっても、就寝者に対する起床の報知を行わない。従って、本発明によれば、快適な目覚めが得られない不適切なタイミングで就寝者に起床を報知する可能性を低減でき、就寝者に快適な目覚めを提供できる可能性を高めることができる。
【００１８】
上記第２の発明では、就寝者の心拍数のウルトラディアンリズムに対応した周期成分を判定用指標として用いることによって、就寝者の睡眠状態がレム睡眠か否かを確実に判断できる。
【００１９】
上記第３の発明では、判断時間中に就寝者に起床を報知しなかった場合に、報知部（55）が起床予定時刻に就寝者に起床を報知する。従って、この発明によれば、起床予定時刻に就寝者を確実に覚醒させることができる。
【図面の簡単な説明】
【００２０】
【図１】図１は、実施形態の睡眠判定装置の使用状態を示す睡眠判定装置の概略構成図である。
【図２】図２は、睡眠判定装置の本外ユニットの概略平面図である。
【図３】図３は、ケースの一部を取り外した状態の本体ユニットの概略平面図である。
【図４】図４は、本体ユニットの要部を拡大して示す断面図である。
【図５】図５は、本体制御部の概略構成を示すブロック図である。
【図６】図６は、心拍信号処理部が導出するデータを示す図であって、(Ａ)は実測の心拍数平均値と心拍ベースラインを示す図であり、(Ｂ)は心拍数のウルトラディアンリズムに対応した周期成分を示す図である。
【図７】図７は、体動信号と体動信号処理部が導出する体動判定閾値とを示す図である。
【図８】図８は、呼吸信号処理部が行う動作を説明するための図であって、(Ａ)は呼吸信号強度の変化を示す図であり、(Ｂ)は呼吸時間間隔の変動係数の算出対象時間を示す図である。
【図９】図９は、実施形態の報知部が行う動作を示すフロー図である。
【発明を実施するための形態】
【００２１】
本発明の実施形態を図面に基づいて詳細に説明する。なお、以下で説明する実施形態および変形例は、本質的に好ましい例示であって、本発明、その適用物、あるいはその用途の範囲を制限することを意図するものではない。
【００２２】
本実施形態は、就寝者（ユーザ）の睡眠状態を判定する睡眠判定装置（1）である。この睡眠判定装置（1）は、判定した就寝者の睡眠状態に応じて、図外の空気調和機の制御（例えば、運転の開始と停止、設定温度の調整など）を行う。また、この睡眠判定装置（1）は、アラーム音によって就寝者に起床を報知する目覚まし装置を構成している。
【００２３】
図１に示すように、睡眠判定装置（1）は、ユーザ側センサ部（2）と本体ユニット（3）を備えている。
【００２４】
−ユーザ側センサ部−
ユーザ側センサ部（2）は、感圧チューブ（20）とパッド（21）とを備えている。感圧チューブ（20）は、就寝者の体動を検知するためのものである。感圧チューブ（20）は、その一端が本体ユニット（3）に接続され、その他端側がパッド（21）に接続されている。
【００２５】
感圧チューブ（20）は、樹脂製の比較的柔軟なチューブであって、ベッドなどの寝具（101）に設置される。感圧チューブ（20）は、例えば、ベッドの本体とマットレスの間に配置される。また、感圧チューブ（20）は、寝具（101）をその幅方向に横断するように配置される。
【００２６】
感圧チューブ（20）は、チューブ本体（20a）と、このチューブ本体（20a）よりもやや小径の連絡チューブ（20b）とが連結されて構成されている。感圧チューブ（20）の一端は、パッド（21）に接続されて封止されている。感圧チューブ（20）の他端は、後述するコネクタ部（32）に気密に接続されている。寝具（101）の上に就寝者が横臥している状態では、就寝者の体動に伴って感圧チューブ（20）の内圧が変化する。
【００２７】
パッド（21）は、例えばゴム等の柔軟な材料からなる長方形板状の部材である。このパッド（21）は、感圧チューブ（20）の端部の位置決め作業を容易にし、感圧チューブ（20）を寝具（101）に設置する際の作業性を向上させるための部材である。
【００２８】
−本体ユニット−
図２に示すように、本体ユニット（3）のケース（30）には、ユーザーが操作するスイッチ用のボタン（B1,B2,B3）が設けられている。また、このケース（30）には、後述する表示パネル（35）を露出させるための窓（30a）が形成されている。スイッチ用のボタン（B1,B2,B3）は、後述するスイッチ（S1,S2,S3）を操作するものである。また、図３に示すように、本体ユニット（3）のケース（30）には、圧力センサ（31）、コネクタ部（32）、及びプリント基板（33）が収容されている。
【００２９】
圧力センサ（31）は、空気圧を検知するセンサである。本実施形態の睡眠判定装置（1）では、空気の圧力変化を電気的な信号に変換するマイクロフォンが、圧力センサ（31）として用いられている。圧力センサ（31）は、コネクタ部（32）に取り付けられている。この圧力センサ（31）は、感圧チューブ（20）及びコネクタ部（32）と共に、就寝者の体動を検出して体動信号を出力する検出部（25）を構成している。また、圧力センサ（31）は、配線（L）を介してプリント基板（33）に接続されている。
【００３０】
コネクタ部（32）は、樹脂製の管状の部材である。図３に示すように、コネクタ部（32）は、ケース（30）を貫通するように設けられ、ケース（30）の側方へ突出している。
【００３１】
図４に示すように、コネクタ部（32）の一端部（ケース（30）の内側に位置する端部）には、圧力センサ（31）が挿入されている。このコネクタ部（32）の一端部は、圧力センサ（31）によって封止されている。コネクタ部（32）の他端部（ケース（30）の外側に位置する端部）には、感圧チューブ（20）が挿入されている。コネクタ部（32）の内周面は、コネクタ部（32）と感圧チューブ（20）の隙間から空気の漏れを防ぐため、感圧チューブ（20）の外周面と密着している。
【００３２】
プリント基板（33）には、種々の電子部品が搭載されている。具体的に、プリント基板（33）には、電源スイッチ（S1）、各種の設定スイッチ（S2,S3）、表示パネル（35）、圧電ブザー（36）、マイクロコンピュータ（34）、及び図外の水晶振動子が搭載されている。また、設定スイッチ（S2,S3）と表示パネル（35）は、後述する起床予定時刻と起床可能時間とをユーザーが入力するための入力部（26）を構成している。
【００３３】
−本体制御部−
マイクロコンピュータ（34）は、マイクロコンピュータ（34）を動作させるためのプログラムを記憶しており、本体制御部（40）を構成している。
【００３４】
図５に示すように、本体制御部（40）は、時計部（41）と、記憶部（42）と、空調制御部（43）と、信号処理部（50）と、報知部（55）とを備えている。
【００３５】
時計部（41）は、水晶振動子の出力信号に基づいて現在の時刻を算出し、算出した現在時刻を時刻情報として出力する。
【００３６】
記憶部（42）は、圧力センサ（31）の出力値を、時計部（41）が出力した時刻情報と共に記憶する。つまり、記憶部（42）は、圧力センサ（31）の出力値（即ち、就寝者の体動信号）を時系列データとして記憶する。
【００３７】
信号処理部（50）は、記憶部（42）が記憶する就寝者の体動信号を用いた演算処理を行う。この信号処理部（50）は、心拍信号処理部（51）と、体動信号処理部（52）と、呼吸信号処理部（53）とを備えている。心拍信号処理部（51）、体動信号処理部（52）、及び呼吸信号処理部（53）が行う詳細な動作は、後述する。
【００３８】
報知部（55）には、信号処理部（50）の出力が入力されている。また、報知部（55）には、起床予定時刻と起床可能時間とが入力部（26）から入力されている。報知部（55）は、入力された信号に基づいて就寝者の起床タイミングを決定し、圧電ブザー（36）に対して作動指令信号を出力する。制御部は、レム睡眠判断部（56）と深睡眠判断部（58）とを備えている。レム睡眠判断部（56）及び深睡眠判断部（58）が行う詳細な動作は、後述する。
【００３９】
空調制御部（43）は、信号処理部（50）の出力を受信し、図外の空気調和機に対して制御信号を出力する。空調制御部（43）は、信号処理部（50）の出力に基づいて就寝者が覚醒状態か睡眠状態かを判定し、その結果に基づいて空気調和機の設定温度、吹き出し風量、吹き出し風向などを調節する。また、空調制御部（43）は、就寝者の睡眠状態（例えば、睡眠深度）に応じて、空気調和機の設定温度などを調節する。
【００４０】
−信号処理部−
抽出部である信号処理部（50）は、心拍信号処理部（51）と、体動信号処理部（52）と、呼吸信号処理部（53）とを備えている。ここでは、心拍信号処理部（51）、体動信号処理部（52）、及び呼吸信号処理部（53）が行う詳細な動作について説明する。
【００４１】
〈心拍信号処理部〉
心拍信号処理部（51）は、記憶部（42）が記憶する体動信号から就寝者の心拍に起因する成分を抽出する。また、心拍信号処理部（51）は、就寝者の心拍数のウルトラディアンリズムに対応した周期成分を、判断用指標として抽出する。
【００４２】
心拍信号処理部（51）は、記憶部（42）が記憶する体動信号から、心拍の周波数帯域（１.４±０.６Ｈｚ）の信号を抽出し、この抽出した信号の実測値から１分間毎の心拍数の平均値（以下、実測の心拍数平均値という）を導出する。実測の心拍数平均値は、周波数信号の実測値をそのまま心拍数として導出したものである。このため、図６(Ａ)に点線（100）で示すように、実測の心拍数平均値は、に示すスパイク状の突起に現れる寝返り等の粗体動によるノイズを含んでいる。なお、図６(Ａ)は、心拍数平均値の経時変化を示すグラフである。
【００４３】
そこで、導出した実測の心拍数平均値から、寝返り等の粗体動によるノイズの信号を除去し、これを１分間毎の心拍ベースラインとして導出する。つまり、心拍信号処理部（51）は、実測の心拍数平均値の変化を指数関数で緩和させた１分間の心拍ベースラインを導出する。図６(Ａ)の実線（200）は、この心拍ベースラインを示す。
【００４４】
心拍ベースラインを導出すための指数関数で用いられる時定数は、実測の心拍数平均値の増大変化時と、減少変化時とで異なる値となる。
【００４５】
例えば所定時における心拍ベースラインがＣであり、その後のｔｏ分間に実測の心拍数平均値がＺｉまで増大変化した場合（Ｚｉ＞Ｃである場合）、本実施形態では、時定数τ１を２[min]として以下の式により新たな心拍ベースラインＣ’が更新される。
Ｃ’＝Ｃ×α＋Ｚｉ（１−α）
ただし、α＝ｅｘｐ（−ｔｏ／τ１）、τ１＝２[min]
【００４６】
一方、例えば所定時における心拍数がＣであり、その後のｔｏ分後に実測の心拍数平均値がＺｉまで減少変化した場合（Ｚｉ＜Ｃの場合）、本実施形態では、時定数τ２を３[min]として以下の式により新たな心拍数Ｃ’が更新される。
Ｃ’＝Ｃ×β＋Ｚｉ（１−β）
ただし、β＝ｅｘｐ（−ｔｏ／τ２）、τ２＝３[min]
【００４７】
このようにして、指数関数によって緩和された信号レベルを心拍ベースラインとするため、実測の心拍数平均値が粗体動等のノイズにより急激に変化した場合にも、心拍ベースラインは、実測の心拍数平均値の変化率よりも小さい変化率で適宜導出されることになる。また、指数関数の時定数は、実測の心拍数平均値の増大変化時よりも減少変化時の方が大きい値となる。このため、心拍ベースラインは、実測の心拍数平均値の増大変化に対しては比較的早い応答性をもち、実測の心拍数平均値の減少変化に対しては比較的遅い応答性をもつ。
【００４８】
心拍信号処理部（51）は、導出した心拍ベースラインから判断用指標を抽出する。具体的に、心拍信号処理部（51）は、心拍ベースラインに、ローパスフィルタ（カットオフ２.０Ｈｚ）によりフィルタ処理（例えば、チェビシェフ特性、８次、リップル０.２５ｄＢ）を施すことによって、判断用指標である“就寝者の心拍数のウルトラディアンリズムに対応した周期成分”を抽出する。図６(Ｂ)の実線（300）は、就寝者の心拍数のウルトラディアンリズムに対応した周期成分を示す。
【００４９】
〈体動信号処理部〉
記憶部（42）が記憶する体動信号には、就寝者の微体動（呼吸や心拍に起因する比較的小さな体動）に起因する微動信号と、就寝者の粗体動（寝返りや身じろぎに起因する比較的大きな体動）に起因する粗動信号とが含まれている。そこで、体動信号処理部（52）は、記憶部（42）が記憶する体動信号から就寝者の粗体動に起因する粗動信号を抽出する。
【００５０】
体動信号処理部（52）は、記憶部（42）が記憶する体動信号から、１０秒間毎の最小値を抽出し、抽出した最小値をトレースするようにして体動判定閾値を適宜更新する。
【００５１】
ここで、体動信号処理部（52）は、実際の体動信号の最小値の変化を指数関数で緩和させた信号レベルを、体動判定閾値とする。この指数関数で用いられる時定数は、最小値の増大変化時と、減少変化時とで異なる値となる。
【００５２】
具体的に、例えば所定時における最小値がＭｉｎであり、その後の更新間隔ｔｏに最小値がＹｉまで増大変化した場合（Ｙｉ＞Ｍｉｎである場合）、新たな最小値Ｍｉｎ’は、時定数τ１を３０[min]として以下の式により更新される。
Ｍｉｎ’＝Ｍｉｎ×α＋Ｙｉ（１−α）
ただし、α＝ｅｘｐ（−ｔｏ／τ１）、τ１＝３０[min]
【００５３】
一方、所定時における最小値がＭｉｎであり、その後の更新間隔ｔｏに最小値がＹｉまで減少変化した場合（Ｙｉ＜Ｍｉｎの場合）、新たな最小値Ｍｉｎ’は、時定数τ２を１[min]として以下の式により更新される。
Ｍｉｎ’＝Ｍｉｎ×β＋Ｙｉ（１−β）
ただし、β＝ｅｘｐ（−ｔｏ／τ２）、τ２＝１[min]
【００５４】
体動信号処理部（52）は、上記の指数関数によって緩和された信号レベルを体動判定閾値とし、この体動判定閾値の２倍の値を判定基準値とする。図７に示すように、体動信号処理部（52）は、記憶部（42）が記憶する体動信号のうち判定基準値よりも大きいものを、粗動信号として抽出する。
【００５５】
〈呼吸信号処理部〉
呼吸信号処理部（53）は、記憶部（42）が記憶する体動信号から就寝者の呼吸に起因する成分を抽出する。また、呼吸信号処理部（53）は、就寝者の呼吸の時間間隔の変動係数を、補助指標として抽出する。
【００５６】
呼吸信号処理部（53）は、記憶部（42）が記憶する体動信号にバンドパスフィルタ（通過域０.２５±０.１５Ｈｚ）によりフィルタ処理を施すことによって、就寝者の呼吸に伴う信号（呼吸信号）を抽出する。図８(Ａ)に示すように、呼吸信号強度は、周期的に増減を繰り返す。
【００５７】
呼吸信号処理部（53）は、抽出した呼吸信号に基づいて、呼吸時間間隔Ｘを抽出する。具体的に、呼吸信号処理部（53）は、呼吸信号強度が負からゼロになった時点から、次に呼吸信号強度が負からゼロになった時点までの時間を、呼吸時間間隔とする。例えば、図８(Ａ)において、呼吸信号処理部（53）は、時刻ｔ１から時刻ｔ２までの時間を呼吸時間間隔Ｘｉとし、時刻ｔ２から時刻ｔ３までの時間を呼吸時間間隔Ｘｉ＋１とする。ちなみに、安静時の成人の呼吸回数は、毎分１２〜２０回程度である。呼吸回数が毎分１５回である場合、呼吸時間間隔は４秒となる。
【００５８】
次に、図８(Ｂ)に示すように、呼吸信号処理部（53）は、１分が経過する毎に、その時点までの所定時間（本実施形態では３分間）を算出対象時間Ｔとし、その算出対象時間Ｔ内の呼吸時間間隔Ｘを用いて変動係数ＣＶを算出する。つまり、本実施形態の呼吸信号処理部（53）では、算出対象時間Ｔが３分間に設定されている。図８(Ｂ)において、呼吸信号処理部（53）は、算出対象時間Ｔｎを対象として呼吸時間間隔の変動係数ＣＶｎを算出し、算出対象時間Ｔｎ＋１を対象として呼吸時間間隔の変動係数ＣＶｎ＋１を算出する。算出対象時間Ｔｎ＋１の開始時刻は、算出対象時間Ｔｎの開始時刻の１分後である。なお、ここに示す算出対象時間（上記の例では３分間）と、呼吸時間間隔の変動係数ＣＶの算出間隔（上記の例では１分間）とは、いずれも単なる一例である。
【００５９】
呼吸信号処理部（53）が呼吸時間間隔の変動係数ＣＶを算出する動作について説明する。ここでは、算出対象時間Ｔｎにおける呼吸時間間隔の変動係数ＣＶｎを算出する場合を例に、呼吸信号処理部（53）の動作を説明する。
【００６０】
まず、呼吸信号処理部（53）は、数式１に示す演算を行い、算出対象時間Ｔｎにおける呼吸時間間隔の相加平均を算出する。次に、呼吸信号処理部（53）は、数式２に示す演算を行い、算出対象時間Ｔｎにおける呼吸時間間隔の標準偏差σｎを算出する。そして、呼吸信号処理部（53）は、数式３に示す演算を行い、算出対象時間Ｔｎにおける呼吸時間間隔の変動係数ＣＶｎを算出する。なお、数式３に示す演算によって算出されるのは、呼吸時間間隔の変動係数ＣＶｎを百分率で示した値である。
【００６１】
【数１】
2014023572.tif 000003
【００６２】
−報知部−
報知部（55）は、レム睡眠判断部（56）と深睡眠判断部（58）とを備えている。そして、報知部（55）は、就寝者が心地よく目覚めることのできるタイミングで就寝者に起床を報知する動作を行う。
【００６３】
先ず、報知部（55）が行う動作の概略について説明する。
【００６４】
上述したように、報知部（55）は、起床予定時刻と、判断時間である起床可能時間とを、入力部（26）から受信する。そして、報知部（55）は、起床予定時刻の起床可能時間前になると（即ち、判断開始時刻を過ぎると）、就寝者が心地よく目覚めることのできるタイミングを特定するための動作を開始する。
【００６５】
判断開始時刻を過ぎると、報知部（55）は、実行条件が成立するか否かを判断する。この実行条件は、判断用指標（就寝者の心拍数のウルトラディアンリズムに対応した周期成分）に基づいて就寝者の睡眠状態がレム睡眠だと判断したという条件である。
【００６６】
続いて、報知部（55）は、禁止条件が成立するか否かを判断する。この禁止条件は、補助指標（就寝者の呼吸時間間隔の変動係数）が所定の下限値以下であるという条件である。
【００６７】
報知部（55）は、実行条件が成立し、且つ禁止条件が成立していない場合に、圧電ブザー（36）に対して作動指令信号を出力する。また、報知部（55）は、起床予定時刻までに圧電ブザー（36）へ作動指令信号を出力しなかった場合は、起床予定時刻に圧電ブザー（36）へ作動指令信号を出力する。そして、報知部（55）は、圧電ブザー（36）を鳴らすことによって、就寝者に起床を報知する。
【００６８】
次に、報知部（55）が行う詳細な動作について、図９を参照しながら説明する。報知部（55）は、図９のフロー図に示す動作を、例えば６０秒毎に繰り返し実行する。
【００６９】
ステップST１において、報知部（55）は、就寝者が入眠したか否かを判断する。その際、報知部（55）は、例えば就寝者の粗体動の継続時間が所定時間以下になると、就寝者が入眠したと判断する。ステップST１において就寝者が入眠していないと判断した場合、報知部（55）は、就寝者が入眠したか否かの判断を繰り返す。一方、ステップST１において就寝者が入眠していると判断した場合、報知部（55）は、ステップST２の動作を行う。
【００７０】
ステップST２において、報知部（55）は、起床予定時刻の起床可能時間前の時刻を、判断開始時刻に設定する。例えば、起床予定時刻が午前７時に設定され、起床可能時間が３０分間に設定された場合、報知部（55）は、判断開始時刻を午前６時３０分に設定する。この場合は、判断開始時刻（午前６時３０分）から起床予定時刻（午前７時）までの３０分間が、判断時間となる。そして、報知部（55）は、判断開始時刻が経過したか否かを判断する。時計部（41）から受信した現在時刻が判断開始時刻よりも前である場合、報知部（55）は、ステップST２の動作を繰り返し行う。一方、現在時刻が判断開始時刻を過ぎている場合、報知部（55）は、ステップST３の動作を行う。
【００７１】
ステップST３において、報知部（55）は、起床予定時刻が経過したか否かを判断する。時計部（41）から受信した現在時刻が起床予定時刻を過ぎている場合、報知部（55）は、ステップST７の動作（即ち、圧電ブザー（36）に対して作動指令信号を出力する動作）を行う。一方、現在時刻が起床予定時刻よりも前の場合、報知部（55）は、ステップST４の動作を行う。
【００７２】
ステップST４では、報知部（55）のレム睡眠判断部（56）が、就寝者の睡眠状態がレム睡眠か否かを、判断用指標に基づいて判断する。レム睡眠判断部（56）が行う動作を説明する。レム睡眠判断部（56）は、判断用指標（即ち、就寝者の心拍数のウルトラディアンリズムに対応した周期成分）の２次微分係数を算出する。そして、レム睡眠判断部（56）は、判断用指標の２次微分係数が負である場合（即ち、図６(Ｂ)に示す波形が上に凸の形状となっている場合）に、就寝者の睡眠状態がレム睡眠であると判断する。このように、レム睡眠判断部（56）は、判断用指標に基づいて就寝者の睡眠状態がレム睡眠であると判断できたという条件（即ち、実行条件）の成否を判断する。
【００７３】
ステップST４において就寝者の睡眠状態がレム睡眠であると判断できなかった場合、報知部（55）は、ステップST３の動作を再び行う。一方、ステップST４において就寝者の睡眠状態がレム睡眠であると判断できた場合、報知部（55）は、ステップST５の動作を行う。
【００７４】
ステップST５では、報知部（55）の深睡眠判断部（58）が、就寝者の睡眠深度が深いか否かを、補助指標（即ち、就寝者の呼吸時間間隔の変動係数）に基づいて判断する。具体的に、深睡眠判断部（58）は、就寝者の呼吸時間間隔の変動係数ＣＶが下限値（例えば、８％）以下である場合に、就寝者の睡眠深度が深いと判断する。このように、深睡眠判断部（58）は、就寝者の呼吸時間間隔の変動係数ＣＶが下限値であるという条件（即ち、禁止条件）の成否を判断する。
【００７５】
ステップST５において就寝者の睡眠深度が深いと深睡眠判断部（58）が判断しなかった場合（即ち、禁止条件が成立しなかった場合）、報知部（55）は、ステップST６の動作（即ち、圧電ブザー（36）に対して作動指令信号を出力する動作）を行う。つまり、報知部（55）は、実行条件が成立し且つ禁止条件が成立していない場合に、ステップST６の動作を行う。
【００７６】
一方、ステップST５において就寝者の睡眠深度が深いと深睡眠判断部（58）が判断した場合（即ち、禁止条件が成立した場合）、報知部（55）は、ステップST３の動作を再び行う。つまり、報知部（55）は、実行条件が成立している場合であっても、禁止条件が成立している間はステップST６の動作を行わない。
【００７７】
−実施形態の効果−
本実施形態の報知部（55）は、原則として、判断時間中に判断用指標に基づいて就寝者の睡眠状態がレム睡眠だと判断すると就寝者に起床を報知する。しかし、判断用指標に基づいて就寝者の睡眠状態がレム睡眠だと判断できても、補助指標（即ち、就寝者の呼吸の時間間隔の変動係数）が所定の下限値以下である場合は、就寝者の睡眠状態がレム睡眠だという判断が間違っている可能性がある。そこで、報知部（55）は、補助指標が所定の下限値以下である間は、判断用指標に基づいて就寝者の睡眠状態がレム睡眠だと判断できた場合であっても、就寝者に対する起床の報知を行わない。従って、本実施形態によれば、快適な目覚めが得られない不適切なタイミングで就寝者に起床を報知する可能性を低減でき、就寝者に快適な目覚めを提供できる可能性を高めることができる。
【００７８】
また、本実施形態の報知部（55）は、判断時間中に就寝者に起床を報知しなかった場合、起床予定時刻になると就寝者に起床を報知する。従って、本実施形態によれば、起床予定時刻に就寝者を確実に目覚めさせることができる。
【００７９】
−実施形態の変形例１−
本実施形態のレム睡眠判断部（56）は、就寝者の心拍数の標準偏差を判断用指標とし、就寝者の心拍数の標準偏差に基づいて就寝者の睡眠状態がレム睡眠であるか否かを判断するものであってもよい。
【００８０】
ここで、就寝者の心拍数は、細かな増減を繰り返している。そして、レム睡眠中は、ノンレム睡眠中に比べて、就寝者の心拍数の細かな増減（即ち、心拍数の揺らぎ）が大きくなることが知られている。心拍数の揺らぎの大きさを示す指標としては、心拍数の標準偏差を用いることができる。従って、就寝者の標準偏差に基づいて、就寝者の睡眠状態がレム睡眠か否かを判断することができる。
【００８１】
本変形例のレム睡眠判断部（56）は、就寝者の心拍数の標準偏差を、就寝者が入眠してから１分毎に算出する。具体的に、レム睡眠判断部（56）は、１分が経過する毎に、過去１０分間の就寝者の心拍数の標準偏差を算出して記憶する。そして、現在時刻が判断開始時刻を過ぎると、レム睡眠判断部（56）は、最新の心拍数の標準偏差が就寝者の入眠から算出してきた心拍数の標準偏差の上位２０％に入っている場合に、就寝者の睡眠状態がレム睡眠であると判断し、そうでない場合に、就寝者の睡眠状態がレム睡眠ではないと判断する。
【００８２】
−実施形態の変形例２−
本実施形態のレム睡眠判断部（56）は、就寝者の呼吸時間間隔の変動係数ＣＶを判断用指標とし、就寝者の呼吸時間間隔の変動係数ＣＶに基づいて就寝者の睡眠状態がレム睡眠であるか否かを判断するものであってもよい。
【００８３】
本変形例のレム睡眠判断部（56）は、深睡眠判断部（58）と同様に、就寝者の呼吸時間間隔の変動係数ＣＶを１分毎に算出する。現在時刻が判断開始時刻を過ぎると、レム睡眠判断部（56）は、最新の呼吸時間間隔の変動係数ＣＶが所定の上限値（例えば、８％）を上回る場合に、就寝者の睡眠状態がレム睡眠である可能性があると判断し、そうでない場合に、就寝者の睡眠状態がレム睡眠ではないと判断する。
【００８４】
−実施形態の変形例３−
本実施形態の目覚まし装置は、アラーム音以外の手段によって就寝者に起床を報知するものであってもよい。例えば、目覚まし装置は、照明器具の照度を増やすことによって就寝者に起床を報知するものであってもよい。また、目覚まし装置は、例えば枕の下に敷いたエアマットを膨らませることによって就寝者に起床を報知するものであってもよい。また、目覚まし装置は、空気調和機の吹き出し風を就寝者に当てることによって就寝者に起床を報知するものであってもよい。
【産業上の利用可能性】
【００８５】
以上説明したように、本発明は、就寝者の睡眠状態に基づいて就寝者に起床を報知する目覚まし装置について有用である。
【符号の説明】
【００８６】
1    睡眠判定装置（目覚まし装置）
20    感圧チューブ
31    圧力センサ
25    検出部
50    信号処理部（抽出部）
55    報知部
【図１】
2014023572.tif 000004
【図２】
2014023572.tif 000005
【図３】
2014023572.tif 000006
【図４】
2014023572.tif 000007
【図５】
2014023572.tif 000008
【図６】
2014023572.tif 000009
【図７】
2014023572.tif 000010
【図８】
2014023572.tif 000011
【図９】
2014023572.tif 000012